(57)【要約】【課題】アルミ材料製の脚軸とグリップを略直角に連結したレバーハンドルにおいて、丈夫で壊れにくいレバーハンドルを提供する。【解決手段】アルミ材料製の脚軸（１０）の後端に外周に凹み孔（１５）を有する挿入部（１３）を形成する。この挿入部（１３）は、ブラケット（１１）の挿入孔（１６）に嵌着される。このブラケット（１１）には、側方から支軸（１４）がねじ着され、支軸（１４）の先端（１８）を上記凹み孔（１５）に嵌入させて脚軸（１０）とブラケット（１１）を固定する。上記支軸（１４）には、グリップ（２０）が取り付けられる。【選択図】図１
0003124641.tif 000002
【実用新案登録請求の範囲】
【請求項１】
後端に挿入部を有する脚軸と、上記挿入部が嵌着する挿入孔を有するブラケットと、側方から該ブラケットにねじ着される支軸と、該支軸に固定されるグリップを具備し、上記挿入部の外周に係合部を形成し、上記支軸の先端を該係合部に係合して上記脚軸とブラケットを固定したことを特徴とするレバーハンドル。
【請求項２】
上記係合部は凹み孔であり、上記支軸は先端に該凹み孔に嵌入する突部を有し、後端に六角穴等の締付孔を有する締付ボルトである請求項１に記載のレバーハンドル。
【請求項３】
上記脚軸はアルミ材料製である請求項１または２に記載のレバーハンドル。
【考案の詳細な説明】
【技術分野】
【０００１】
本考案は、各種の扉に使用されるレバーハンドルに関する。
【背景技術】
【０００２】
扉に設けた錠装置を操作するため、扉には種々のレバーハンドルが使用されている。レバーハンドルは、錠装置に連絡する角軸が取り付けられる脚軸と脚軸の側方に延びるグリップを有し、脚軸とグリップを一体成形したり、別体に形成した脚軸とグリップを略直角に結合して形成されている（例えば、特許文献１参照）。脚軸とグリップを別体にする場合、種々の材質や形態のグリップを用意することにより趣の異なるレバーハンドルが得られ、また上記脚軸等をアルミ材料で作ることにより加工が容易となり経済的に得られる。
【０００３】
図３は、従来のレバーハンドルの一例を示し、アルミ材料製の脚軸（１）は、角軸（図示略）を挿入するための受孔（２）を有し、後端に挿入部（３）を有している。該挿入部（３）には横方向に開口する貫通孔（４）を設けてあり、該挿入部（３）をブラケット（５）に挿入した後、該貫通孔（４）にボルト（６）を貫挿してブラケット（５）と脚軸（１）を回り止め状態で連結し、このボルト（６）にグリップ（７）を挿入して接着剤等で固定している。このようなレバーハンドルのボルト（６）は、操作時の荷重に耐えるよう通常直径約１０ｍｍ程度の太いボルトが用いられるから、上記挿入部（３）に設ける貫通孔（４）もそれに応じた内径となり、結果として該挿入部（３）の貫通孔（４）周囲の断面の有効面積が小さくなる。そのため、ハンドルに大きな荷重が作用すると、この断面部位に荷重が集中し、破断、破壊を生じるおそれがあった。また、上記挿入部（３）の貫通孔（４）とブラケット（５）に形成するねじ孔を正確に一致させなければならないので、加工が面倒であり、上記ボルトとしては、グリップを装着する都合上、寸切りボルトを使用しているから、強く締め付けることもむずかしかった。
【特許文献１】実開昭６３−１９９３１８号公報（第２図）
【考案の開示】
【考案が解決しようとする課題】
【０００４】
本考案の解決課題は、上記のように脚軸とグリップを別体に形成して略直角に連結する構造のレバーハンドルにおいて、大きな荷重が作用しても脚軸が破損しにくく、製造が容易で確実に脚軸とグリップを連結できるようにしたレバーハンドルを提供することである。
【課題を解決するための手段】
【０００５】
本考案によれば、後端に挿入部を有する脚軸と、上記挿入部が嵌着する挿入孔を有するブラケットと、側方から該ブラケットにねじ着される支軸と、該支軸に固定されるグリップを具備し、上記挿入部の外周に係合部を形成し、上記支軸の先端を該係合部に係合して上記脚軸とブラケットを固定したことを特徴とするレバーハンドルが提供され、上記課題を解決される。
【考案の効果】
【０００６】
本考案は上記のように構成され、支軸の先端を、脚軸の挿入部の外周に形成した係合部に係合させて脚軸とブラケットを固定するようにしたから、上記挿入部に従来のような貫通孔を形成する必要がなく、該挿入部に作用する荷重を支持する断面の有効面積を大きくすることができ、脚軸をアルミ材料で作っても壊れにくい。また、上記支軸を、後端に六角穴を有する六角穴付ボルト等の締付ボルトで構成すると、該支軸をブラケットにねじ着する際六角レンチを用いて強固に締め付けることができ、従来のように寸切りボルトをねじ着する場合に比べて確実であり、その上、上記係合部を凹み孔とし、支軸の先端に突部を設けて係合させる構成であるから、加工が容易であり、経済的に得られる。
【考案を実施するための最良の形態】
【０００７】
図１、図２を参照し、脚軸（１０）及びブラケット（１１）は、適宜の金属材料、図に示す実施例ではアルミ材料で略円柱状に作られ、脚軸（１０）には、錠装置に連絡する角軸（図示略）を挿入固定するための受孔（１２）が形成され、後端は段部を介して縮径され挿入部（１３）が設けられている。該挿入部（１３）の外周には、後記する支軸（１４）の先端が係合する係合部（１５）を設けてあり、図に示す実施例では、該係合部（１５）として略円錐状の凹み孔を１つ形成してあるが、複数個所に設けたり、外周面の一部に平らな面を形成して係合部としたり、その他適宜の形状、構造の係合部を設けてもよい。
【０００８】
上記ブラケット（１１）は、上記挿入部（１３）を嵌入するための挿入孔（１６）を有し、該挿入孔（１６）には、側方から支軸（１４）をねじ着するためのねじ孔（１７）が形成されている。
【０００９】
上記支軸（１４）はステンレス材等の強度のある金属材料で作られ、上記挿入孔（１６）の係合部（１５）に係合する先端（１８）を有する。該先端（１８）は、図に示す実施例ではくぼみ先形状の突部に形成してあるが、棒先やとがり先形状にしたり、上記係合部（１５）の形状に応じた適宜の形状にしてもよい。該支軸（１４）は、締付孔として後端に六角穴（１９）を有する六角穴付締付ボルトで構成してあるが、締付孔の形状を変えたり、ドライバー等を差し込む溝を設けたボルトでもよい。
【００１０】
上記の構成により、脚軸（１０）の挿入部（１３）をブラケット（１１）の挿入孔（１６）に嵌着後、上記支軸（１４）をねじ孔（１７）にねじ着してその先端（１８）を挿入部（１３）に形成した凹み孔等の係合部（１５）に嵌入させれば、脚軸（１０）とブラケット（１１）を回り止め状態で確実に連結することができ、その後、上記支軸（１４）には、適宜の材質、形状のグリップ（２０）がねじ着される。なお、上記各嵌合部やねじ着部には接着剤が塗布されており、該接着剤が硬化することにより、ガタツキや角度振れを生じないように固定される。
【００１１】
使用に際して、グリップ（２０）を介して脚軸（１０）に大きな荷重が作用しても、上記脚軸（１０）には、従来のような貫通孔が設けられておらず、集中荷重が作用する断面積が従来品に比べて大きいので、壊れにくい。
【図面の簡単な説明】
【００１２】
【図１】本考案の一実施例を示す断面図。
【図２】分解斜視図。
【図３】従来品を示す断面図。
【符号の説明】
【００１３】
１０    脚軸
１１    ブラケット
１３    挿入部
１４    支軸
１５    係合部（凹み孔）
１６    挿入孔
１８    支軸の先端
１９    六角穴
２０    グリップ
【図１】
0003124641.tif 000003
【図２】
0003124641.tif 000004
【図３】
0003124641.tif 000005